【手続補正書】
【提出日】平成19年12月31日(2007.12.31)
【手続補正１】
【補正対象書類名】明細書
【補正対象項目名】特許請求の範囲
【補正方法】変更
【補正の内容】
【特許請求の範囲】
【請求項１】
外部から天候情報を受信するための天候情報受信手段と、
ユーザーが傘の前方を移動していること又は傘の近傍に存在していることを検出するためのユーザー検出手段と、
前記天候情報受信手段からの天候情報によると外出時には傘が必要と判断される場合において、前記ユーザー検出手段によりユーザーの移動又は存在が検出されたとき、前記ユーザー検出手段からの出力に基づいて、ユーザーに傘の存在を知らせるためのアラーム情報を発生するためのアラーム情報発生手段と、
を備えたことを特徴とするインテリジェント傘。
【請求項２】
戸外の天候情報を戸外又は室内の湿度又は温度などのデータに基づいて推測又は検出するための天候情報推測手段と、
ユーザーが傘の前方を移動していること又は傘の近傍に存在していることを検出するためのユーザー検出手段と、
前記天候情報推測手段からの天候情報によると外出時には傘が必要と判断される場合において、前記ユーザー検出手段によりユーザーの移動又は存在が検出されたとき、前記ユーザー検出手段からの出力に基づいて、ユーザーに傘の存在を知らせるためのアラーム情報を発生するためのアラーム情報発生手段と、
を備えたことを特徴とするインテリジェント傘。
【請求項３】
傘の場所的な移動の有無を検出するための場所移動検出手段と、
前記場所移動検出手段からの出力に基づいて、傘の場所的な移動が停止した後に、「ユーザーが再び傘の前方を移動すること又はその近傍に存在すること」があるかどうかを検出するためのユーザー検出手段と、
前記ユーザー検出手段によりユーザーの移動又は存在が検出されたとき、前記ユーザー検出手段からの出力に基づいて、ユーザーに傘の存在を知らせるためのアラーム情報を発生するためのアラーム情報発生手段と、
を備えたことを特徴とするインテリジェント傘。
【請求項４】
傘の場所的な移動の有無を検出するための場所移動検出手段と、
現在から後に、「ユーザーが再び傘の前方を移動すること又は傘の近傍に存在すること」があるかどうかを検出するためのユーザー検出手段と、
前記ユーザー検出手段により前記のユーザーの移動又は存在が検出されないまま、前記場所移動検出手段により傘の場所的な移動が検出されたとき、前記ユーザー検出手段からの出力と前記場所移動検出手段からの出力とに基づいて、傘のユーザー又は周囲の人に「傘が不法に移動された可能性があること」を知らせるためのアラーム情報を発生するためのアラーム情報発生手段と、
を備えたことを特徴とするインテリジェント傘。
【手続補正２】
【補正対象書類名】明細書
【補正対象項目名】０００５
【補正方法】変更
【補正の内容】
【０００５】
（本発明の内容）
本発明の内容（本願の当初明細書の特許請求の範囲に記載のもの）は、次のとおりである。
１  外部からの天候情報を受信するための天候情報受信手段と、ユーザーが傘の前方を移動している又は傘の近傍に存在していることを検出するためのユーザー検出手段と、前記天候情報受信手段からの天候情報により傘が必要と判断されるときであって、前記ユーザー検出手段によりユーザーの移動又は存在が検出されたとき、ユーザーに傘の存在を知らせるアラームを発生するためのアラーム発生手段と、を備えたことを特徴とするインテリジェント傘。
２  外部からの天候情報を受信するための天候情報受信手段と、ユーザーが傘の前方を移動している又は傘の近傍に存在していることを検出するためのユーザー検出手段と、前記天候情報受信手段からの天候情報により傘が必要と判断されるときであって、前記ユーザー検出手段によりユーザーの移動又は存在が検出されたとき、ユーザーに傘の存在を知らせるアラームを発生するためのアラーム発生手段と、を備えたことを特徴とするインテリジェント傘カバー。
３  戸外の天候情報を湿度又は温度などで検出するための天候情報検出手段と、ユーザーが傘の前方を移動している又は傘の近傍に存在していることを検出するためのユーザー検出手段と、前記天候情報検出手段からの天候情報により傘が必要と判断されるときであって、前記ユーザー検出手段によりユーザーの移動又は存在が検出されたとき、ユーザーに傘の存在を知らせるアラームを発生するためのアラーム発生手段と、を備えたことを特徴とするインテリジェント傘。
４  戸外の天候情報を湿度又は温度などで検出するための天候情報検出手段と、ユーザーが傘の前方を移動している又は傘の近傍に存在していることを検出するためのユーザー検出手段と、前記天候情報検出手段からの天候情報により傘が必要と判断されるときであって、前記ユーザー検出手段によりユーザーの移動又は存在が検出されたとき、ユーザーに傘の存在を知らせるアラームを発生するためのアラーム発生手段と、を備えたことを特徴とするインテリジェント傘カバー。
５  傘の場所的な移動の有無を検出するための移動検出手段と、傘の場所的な移動が停止してから所定時間後に「ユーザーが再び傘の前方を移動するか又はその近傍に存在すること」を検出するためのユーザー検出手段と、前記ユーザー検出手段によりユーザーの移動又は存在が検出されたとき、ユーザーに傘の存在を知らせるアラームを発生するためのアラーム発生手段と、を備えたことを特徴とするインテリジェント傘。
６  傘の場所的な移動の有無を検出するための移動検出手段と、傘の場所的な移動が停止してから所定時間後に「ユーザーが再び傘の前方を移動するか又はその近傍に存在すること」を検出するためのユーザー検出手段と、前記ユーザー検出手段によりユーザーの移動又は存在が検出されたとき、ユーザーに傘の存在を知らせるアラームを発生するためのアラーム発生手段と、を備えたことを特徴とするインテリジェント傘カバー。
７  傘の場所的な移動の有無を検出するための場所移動検出手段と、現在から所定時間後に「ユーザーが再び傘の前方を移動するか又は傘の近傍に存在すること」の検出をするためのユーザー検出手段と、前記ユーザー検出手段により前記のユーザーの存在が検出されないまま、前記場所移動検出手段からの信号により傘が場所的に移動したことが検出されたとき、傘のユーザー又は周囲の人に「傘が不法に移動された可能性があること」を知らせるアラームを発生するためのアラーム発生手段と、を備えたことを特徴とするインテリジェント傘。
８  傘の場所的な移動の有無を検出するための場所移動検出手段と、現在から所定時間後に「ユーザーが再び傘の前方を移動するか又は傘の近傍に存在すること」の検出をするためのユーザー検出手段と、前記ユーザー検出手段により前記のユーザーの存在が検出されないまま、前記場所移動検出手段からの信号により傘が場所的に移動したことが検出されたとき、傘のユーザー又は周囲の人に「傘が不法に移動された可能性があること」を知らせるアラームを発生するためのアラーム発生手段と、を備えたことを特徴とするインテリジェント傘カバー。
なお、本発明においては、本明細書の特許請求の範囲の中に記載されているシステム（装置）のアイデアは、全て、「方法」「プログラム」としても捉えることができる。すなわち、本発明においては、本明細書の特許請求の範囲の中において「システム（装置）」の形で記載された発明の内容は、全て、「方法」「プログラム」の形でも記載することができ、「方法」「プログラム」の形でも実現することができる。すなわち、本発明においては、本明細書の特許請求の範囲の中において、末尾に「システム（装置）」という文字が記載された発明は、その全てが、末尾に「方法」「プログラム」という文字で把握・記載される発明とすることができる。すなわち、本明細書の特許請求の範囲の内容は、その全てが「方法の発明」「プログラムの発明」としても構成することができ、そのように「方法の発明」「プログラムの発明」として構成される発明も、本発明の範囲内である。
なお、本発明のプログラムは、例えば、コンピュータのハードディスクなどの記録媒体に記録されてＣＰＵにより実行されるものであり、また、ＡＳＰ（アプリケーションサービスプロバイダ）によりインターネットなどのネットワーク経由でユーザー側の情報端末に送信（譲渡・貸与）されるものである。